(57)【要約】【課題】交通情報を受信できない場合であっても、記憶された過去の交通情報を参考用として表示する交通情報提供装置を得る。【解決手段】交通情報を取得する交通情報取得部１と、過去の広域のＶＩＣＳ等の交通情報を記憶した広域交通情報記憶媒体２と、交通情報取得部１により取得された交通情報を記憶する取得交通情報記憶部３と、交通情報取得部１から交通情報を受信できない場合には、広域交通情報記憶媒体２または取得交通情報記憶部３に記憶された交通情報から適切な交通情報を選択するデータ判別部５と、データ判別部５により選択された交通情報を出力する出力部６とを備えた。【選択図】　　　　図１
2004126950.tif 000002
【特許請求の範囲】
【請求項１】
過去の交通情報を記憶した交通情報記憶手段と、
上記交通情報記憶手段に記憶された交通情報から適切な交通情報を選択する交通情報選択手段と、
上記交通情報選択手段により選択された交通情報を出力する交通情報出力手段とを備えた交通情報提供装置。
【請求項２】
交通情報を取得する交通情報取得手段と、
過去の交通情報と共に上記交通情報取得手段により取得された交通情報を記憶する交通情報記憶手段と、
上記交通情報記憶手段に記憶された交通情報から適切な交通情報を選択する交通情報選択手段と、
上記交通情報選択手段により選択された交通情報を出力する交通情報出力手段とを備えた交通情報提供装置。
【請求項３】
年月日、曜日、時刻、天候、および行事のうちの少なくとも１つの付帯条件を取得する付帯条件取得手段を備え、
交通情報記憶手段には、交通情報に付帯して年月日、曜日、時刻、天候、および行事のうちの少なくとも１つの情報が記憶され、
交通情報選択手段は、上記条件取得手段により取得された付帯条件と上記交通情報記憶手段に記憶された付帯情報との比較に基づいて適切な交通情報を選択することを特徴とする請求項１または請求項２記載の交通情報提供装置。
【請求項４】
年月日、曜日、時刻、天候、および行事のうちの少なくとも１つの付帯条件を外部入力可能な付帯条件入力手段を備えたことを特徴とする請求項３記載の交通情報提供装置。
【請求項５】
交通情報選択手段は、交通情報取得手段により取得される交通情報に応じた交通変動パターンと交通情報記憶手段に記憶された交通情報に応じた交通変動パターンとの比較に基づいて適切な交通情報を選択することを特徴とする請求項２記載の交通情報提供装置。
【請求項６】
交通情報選択手段は、現在以降の交通変動パターンを予測し、その予測した交通変動パターンを交通情報出力手段に供給することを特徴とする請求項５記載の交通情報提供装置。
【請求項７】
目的地を外部入力可能な目的地入力手段と、
現在位置を検出する位置検出手段と、
上記目的地入力手段により入力された目的地、上記位置検出手段により検出された現在位置、および交通情報選択手段により選択された交通情報を考慮して最適な経路を探索する経路探索手段とを備えたことを特徴とする請求項１から請求項５のうちのいずれか１項記載の交通情報提供装置。
【請求項８】
位置検出手段により検出された現在位置に応じた地図情報を取得する地図情報取得手段を備え、
交通情報出力手段は、上記地図情報取得手段により取得された地図情報上に現在位置、交通情報および最適経路を図形または文字で表示することを特徴とする請求項７記載の交通情報提供装置。
【発明の詳細な説明】
【０００１】
【発明の属する技術分野】
この発明は、過去の交通情報を記憶し、交通情報が受信できない場合であっても、記憶された過去の交通情報を参考用として表示する交通情報提供装置に関するものである。
【０００２】
【従来の技術】
従来の交通情報提供システムでは、各エリア内の道路の交通状況が路上に設置されたセンサ等で検知され、その検知されたデータが情報センタに送信されて蓄積されるようになっている。情報センタで蓄積されたデータは、路上に設置されたビーコンやＦＭ多重放送によって車載機に提供されるようにしている（例えば、特許文献１参照）。
なお、関連する技術文献として、例えば、特許文献２および特許文献３がある。
【０００３】
【特許文献１】
特開平１１−３２８５８０号公報
【特許文献２】
特開平８−９６２９４号公報
【特許文献３】
特開平８−２８７３９２号公報
【０００４】
【発明が解決しようとする課題】
従来の交通情報提供システムは以上のように構成されているので、車載機では、路上にビーコンが設置されている検知対象エリア内あるいはＦＭ多重放送受信エリア内でしか交通情報データを受信することができないため、交通情報データを受信できない箇所では、交通情報データを表示できないなどの課題があった。
【０００５】
この発明は上記のような課題を解決するためになされたもので、交通情報を受信できない場合であっても、記憶された過去の交通情報を参考用として表示する交通情報提供装置を得ることを目的とする。
【０００６】
【課題を解決するための手段】
この発明に係る交通情報提供装置は、過去の交通情報を記憶した交通情報記憶手段と、その記憶された交通情報から適切な交通情報を選択する交通情報選択手段と、その選択された交通情報を出力する交通情報出力手段とを備えたものである。
【０００７】
【発明の実施の形態】
以下、この発明の実施の一形態を説明する。
実施の形態１．
図１はこの発明の実施の形態１による交通情報提供装置を示すブロック図であり、図において、交通情報取得部（交通情報取得手段）１は、例えば、アンテナおよび受信機等によって構成され、ＶＩＣＳ等の交通情報を受信することによって取得するものである。
広域交通情報記憶媒体（交通情報取得手段）２は、例えば、ＣＤ、ＤＶＤ等によって構成され、この交通情報提供装置の発売までの過去の広域のＶＩＣＳ等の交通情報を記憶したものである。
取得交通情報記憶部（交通情報取得手段）３は、例えば、書き換え可能なＥＥＰＲＯＭ等によって構成され、交通情報取得部１により取得された交通情報を記憶するものである。
操作部（交通情報選択手段、付帯条件入力手段）４は、例えば、押しボタン、タッチパネル、リモートコントローラ等によって構成され、利用者の外部入力を可能にするものである。
データ判別部（交通情報選択手段、付帯条件取得手段）５は、広域交通情報記憶媒体２あるいは取得交通情報記憶部３に記憶された交通情報から適切な交通情報を選択するものである。
出力部（交通情報出力手段）６は、ディスプレイ、スピーカ等によって構成され、データ判別部５により選択された交通情報を図形、文字および音声によって出力するものである。
【０００８】
次に動作について説明する。
図２は広域交通情報記憶媒体に記憶された交通情報を示す説明図である。広域交通情報記憶媒体２には、例えば、この交通情報提供装置の発売より過去に、日本中のＶＩＣＳ等によって発信された交通情報が予め記憶されている。この例はテーブルで示したものであり、道路番号および道路状況（渋滞、混雑等）の欄の他、付帯情報としてＶＩＣＳ等によって発信された年月日、曜日、時刻、天候および行事の欄から成っている。
また、図１において、交通情報取得部１では、ＶＩＣＳ等の交通情報を受信し、取得交通情報記憶部３に記憶する。なお、この取得交通情報記憶部３においても図２に示したテーブルと同一または類似した形態で交通情報を逐次記憶し蓄積する。
ここで、交通情報取得部１から交通情報が受信され、利用者がその交通情報を利用したい場合には、交通情報取得部１から受信された交通情報は、取得交通情報記憶部３に記憶されると共にデータ判別部５経由でそのまま出力部６から出力される。一方、走行中に交通情報が受信できない場合であっても、広域交通情報記憶媒体２あるいは取得交通情報記憶部３に記憶された過去の交通情報からデータ判別部５によって適切な交通情報を選択して出力部６から出力させる。
【０００９】
以下、その具体的な処理について説明する。
図３は操作部または出力部の画面の変化を示す説明図、図４は操作部、データ判別部および出力部の処理を示すフローチャートである。
図３のＡに示すように、操作部４では「過去の交通情報表示」および「現在の交通情報表示」のメニュー画面を表示する。ここで、「現在の交通情報表示」が選択された場合には、図３のＢに示すように、カーナビゲーション画面を表示し、さらに、図３のＣに示すように、交通情報取得部１から受信された現在の交通情報に応じた内容を出力部６により表示する。なお、カーナビゲーション画面中、三角形は自車を、矢印は渋滞を示す。
また、図３のＡにおいて、「過去の交通情報表示」が選択された場合には（図４ステップＳＴ１）、図３のＤに示すように、過去の交通情報表示のメニュー画面を表示する。
ここで、「現在状況と比較」が選択された場合には（図４ステップＳＴ２）、データ判別部５自ら現在の年月日、曜日、時刻、天候および行事等の付帯条件を取得する（図４ステップＳＴ３）。なお、現在の年月日、曜日、時刻は、本交通情報提供装置に内蔵する時計およびカレンダによって検出することができる。また、現在の天候および行事は、操作部４から利用者が入力するようにしても良い。そして、データ判別部５では、取得した年月日、曜日、時刻、天候および行事の付帯条件と最も類似する付帯情報を有する過去の交通情報を、広域交通情報記憶媒体２あるいは取得交通情報記憶部３から選択して取得する（図４ステップＳＴ４）。取得された過去の交通情報は出力部６によって、例えば、図３のＦに示すように、その過去の交通情報に応じた内容で表示する（図４ステップＳＴ５）。
さらに、図３のＤにおいて、「年月日指定」、「曜日指定」、「時刻指定」、「天候指定」または「行事指定」が選択された場合には（図４ステップＳＴ６）、操作部４は、さらに、利用者にその指定した付帯条件の入力を要求する。ここで付帯条件としては、例えば、年月日指定として「２００１．９．１８」とか、曜日指定および天候指定の組み合せとして「金曜日で雨」とかを指定可能である。
利用者により付帯条件が入力されれば、図３のＥに示すように、確認画面を表示し、「はい」が選択された場合には、データ判別部５では、指定された「金曜日で雨」の付帯情報と最も類似する付帯情報を有する過去の交通情報を、広域交通情報記憶媒体２あるいは取得交通情報記憶部３から選択して取得する（図４ステップＳＴ７）。取得された過去の交通情報は出力部６によって、例えば、図３のＦに示すように、その過去の交通情報に応じた内容で表示する（図４ステップＳＴ５）。
【００１０】
以上のように、この実施の形態１によれば、走行中に交通情報取得部１によって交通情報が受信できない場合であっても、広域交通情報記憶媒体２あるいは取得交通情報記憶部３に記憶された過去の交通情報からデータ判別部５によって適切な交通情報を選択して出力部６から出力させることができる。
また、交通情報取得部１によって受信された交通情報は、逐次、取得交通情報記憶部３に記憶され蓄積されていくので、データ判別部５の選択対象となる適切な交通情報を増やし、本交通情報提供装置の利用価値を高めることができる。
さらに、データ判別部５によって出力すべき交通情報を、現在受信されている交通情報および過去の交通情報のうちから選択することができる。
さらに、出力すべき交通情報が過去の交通情報とした場合でも、現在の付帯条件に類似した付帯情報を持つ交通情報や、利用者が任意に指定した付帯条件に類似した付帯情報を持つ交通情報を選択することができ、利便性の高い交通情報提供装置が得られる。
【００１１】
実施の形態２．
この実施の形態２による交通情報提供装置のブロック図は図１と同等であるが、データ判別部５は、交通情報取得部１により取得される交通情報に応じた現在の交通変動パターンと、広域交通情報記憶媒体２あるいは取得交通情報記憶部３に記憶された過去の交通情報に応じた過去の交通変動パターンとの比較に基づいて最も類似する過去の交通変動パターンを選択し、その過去の交通変動パターンに応じた過去の交通情報を出力部６に供給するものである。
【００１２】
次に動作について説明する。
図５はこの発明の実施の形態２による操作部または出力部の画面の変化を示す説明図である。
図５のＧに示すように、交通情報取得部１から受信された現在の交通情報に応じた内容を出力部６により表示しているものとする。なお、カーナビゲーション画面中、×印は道路工事箇所を示すものであり、この図５のＧの表示時点では、道路工事箇所が存在するものの未だ渋滞は発生していない。
そして、図５のＧの表示時点から５分経過して図５のＨに示すように渋滞が発生したとする。
ここで、データ判別部５では、このように交通情報取得部１により取得される交通情報に所定量以上の変動が生じた場合に、図５のＧの表示時点から図５のＨの表示時点までに交通情報取得部１により取得される一連の交通情報に基づいて現在の交通変動パターンを演算する。
そして、図５のＩに示すように、「変動パターンに類似した交通情報を表示しますか」と画面表示する。
ここで、「はい」が選択された場合には、データ判別部５では、広域交通情報記憶媒体２あるいは取得交通情報記憶部３に記憶された過去の２つの時点の交通情報に基づいて、過去の交通変動パターンを演算する。この時、データ判別部５では、なるべく現在の交通変動パターンに類似するものが演算されるような交通情報を取捨選択して演算する。そして、現在の交通変動パターンに最も類似する過去の交通変動パターンを選択すると共に、その選択された過去の交通変動パターン以降の交通情報を選択して出力部６に供給する。
出力部６では、現在の交通変動パターンに類似した過去の交通情報を表示する。
なお、図５のＪに示すように、「変動パターンより１０分後に想定される交通情報です」とあるように、現在の交通変動パターンに最も類似する過去の交通変動パターンから１０分後の交通情報を選択して出力部６に供給することによって、未来を予測した交通情報を表示させるようにしても良い。
さらに、過去の交通変動パターンから１０分後としたが、何分後の交通情報を表示させるかを操作部４によって利用者に指定できるようにしても良い。
【００１３】
以上のように、この実施の形態２によれば、データ判別部５により、現在の交通変動パターンに最も類似する過去の交通変動パターンを選択し、その過去の交通変動パターンに応じた過去の交通情報を出力部６に供給することにより、未来を予測した交通情報を表示させることができる。
【００１４】
実施の形態３．
図６はこの発明の実施の形態３による交通情報提供装置を示すブロック図であり、この実施の形態３は、カーナビゲーションの経路探索に上記実施の形態の交通情報を適用したものである。
図において、操作部（目的地入力手段）４は、利用者により目的地を外部入力可能にされたものである。
位置検出部（位置検出手段）７は、車両の現在位置を検出するものである。
地図情報取得部（地図情報取得手段）８は、位置検出部７により検出された現在位置に応じた地図情報を取得するものである。
経路探索部（経路探索手段）９は、操作部４により入力された目的地、位置検出部７により検出された現在位置、およびデータ判別部５により選択された交通情報を考慮して最適な経路を探索するものである。
なお、出力部６は、地図情報取得部８により取得された地図情報上に現在位置、交通情報および最適経路を文字または図形で表示し、さらに、音声出力するものである。
その他の構成については、図１と同一である。
【００１５】
次に動作について説明する。
図７は操作部または出力部の画面の変化を示す説明図である。
操作部４から目的地を外部入力し、位置検出部７により車両の現在位置が検出され、地図情報取得部８は、位置検出部７により検出された現在位置に応じた地図情報を取得する。出力部６は、地図情報取得部８により取得された地図情報上に位置検出部７により検出された現在位置および上記実施の形態１または上記実施の形態２のデータ判別部５により選択された交通情報を図形で表示する。図７のＫはその時の表示例を示したものであり、矢印は、過去の交通情報に基づいて渋滞を示したものである。
ここで、利用者は、カーナビゲーションにより目的地までの経路探索を行いたい場合には、上記実施の形態１または上記実施の形態２のデータ判別部５により選択された交通情報を適用した経路探索を行うことができる。すなわち、図７のＬに示すように、交通情報を適用した経路探索で「はい」を選択すれば、経路探索部９は、目的地、現在位置、およびデータ判別部５により選択された交通情報を考慮して最適な経路を探索する。
図７のＭでは、探索の結果、本来、現在位置から直進する経路を選択する所を、過去の交通情報に基づいて直進経路が渋滞であることを考慮して、右折する経路が最適経路であると表示したものである。
【００１６】
図８、図９は出力部の画面の表示例を示す説明図である。
図８では、出力部６において、上記実施の形態１または上記実施の形態２のデータ判別部５により選択された交通情報を文字で表示したものであり、図９では、交通情報を図形で表示したものである。
なお、出力部６は、地図情報上に現在位置、交通情報および最適経路を文字または図形で表示し、さらに、音声出力するようにしても良い。
【００１７】
以上のように、この実施の形態３によれば、上記実施の形態１または上記実施の形態２のデータ判別部５により選択された交通情報を適用した経路探索を行うことができる。すなわち、現在受信されている交通情報、過去の交通情報、または、未来を予測した交通情報等の適切な交通情報を考慮した経路探索を行うことができ、探索された経路の信頼性を高めることができる。
【００１８】
【発明の効果】
以上のように、この発明によれば、交通情報記憶手段に記憶された過去の交通情報から適切な交通情報を選択して交通情報出力手段から出力させるように構成したので、走行中に交通情報が取得できない場合であっても、過去の交通情報を出力させることができる効果が得られる。
【図面の簡単な説明】
【図１】この発明の実施の形態１による交通情報提供装置を示すブロック図である。
【図２】広域交通情報記憶媒体に記憶された交通情報を示す説明図である。
【図３】操作部または出力部の画面の変化を示す説明図である。
【図４】操作部、データ判別部および出力部の処理を示すフローチャートである。
【図５】この発明の実施の形態２による操作部または出力部の画面の変化を示す説明図である。
【図６】この発明の実施の形態３による交通情報提供装置を示すブロック図である。
【図７】操作部または出力部の画面の変化を示す説明図である。
【図８】出力部の画面の表示例を示す説明図である。
【図９】出力部の画面の表示例を示す説明図である。
【符号の説明】
１　交通情報取得部（交通情報取得手段）、２　広域交通情報記憶媒体（交通情報取得手段）、３　取得交通情報記憶部（交通情報取得手段）、４　操作部（交通情報選択手段、付帯条件入力手段、目的地入力手段）、５　データ判別部（交通情報選択手段、付帯条件取得手段）、６　出力部（交通情報出力手段）、７位置検出部（位置検出手段）、８　地図情報取得部（地図情報取得手段）、９経路探索部（経路探索手段）。
【図１】
2004126950.tif 000003
【図２】
2004126950.tif 000004
【図３】
2004126950.tif 000005
【図４】
2004126950.tif 000006
【図５】
2004126950.tif 000007
【図６】
2004126950.tif 000008
【図７】
2004126950.tif 000009
【図８】
2004126950.tif 000010
【図９】
2004126950.tif 000011